【手続補正書】
【提出日】平成20年2月5日(2008.2.5)
【手続補正１】
【補正対象書類名】明細書
【補正対象項目名】特許請求の範囲
【補正方法】変更
【補正の内容】
【特許請求の範囲】
【請求項１】ヒト以外の動物または細胞を遺伝子修飾するためのベクターであって、
ヒト以外の精子細胞と
ヒト以外の精子細胞に結合された少なくとも一つの抗体リンカーと
前記少なくとも一つの抗体リンカーを介してヒト以外の精子細胞に結合された少なくと  も一つのポリヌクレオチド分子、
とを含むベクター。
【請求項２】前記少なくとも一つの抗体リンカーがヒト以外の精子細胞の外表に結合さ  れている、請求項１に記載のベクター。
【請求項３】前記少なくとも一つの抗体リンカーがヒト以外の精子細胞の外表に優先的 に結合する、請求項１に記載のベクター。
【請求項４】前記少なくとも一つのポリヌクレオチド分子がＤＮＡ分子である、請求項 １に記載のベクター。
【請求項５】前記ＤＮＡ分子が遺伝子産物をコードする、請求項４に記載のベクター。  【請求項６】前記遺伝子産物がＲＮＡ分子である、請求項５に記載のベクター。
【請求項７】前記遺伝子産物がタンパク質である、請求項５に記載のベクター。
【請求項８】前記少なくとも一つの抗体リンカーが、イオン性相互作用、共有結合相互 作用、ファンデルワールス相互作用、およびリガンド−レセプター相互作用、からなる 群から選択された分子間相互作用を介して少なくとも一つのポリヌクレオチド分子と相 互作用する、請求項１記載のベクター。
【請求項９】前記少なくとも一つの抗体リンカーが、少なくとも一つの二次的非リポソ ーム性リンカーを介して少なくとも一つのポリヌクレオチド分子と相互作用する、請求 項１記載のベクター。
【請求項１０】前記少なくとも一つのポリヌクレオチド分子が、前記少なくとも一つの 抗体リンカーを介してヒト以外の精子細胞の外表に結合する、請求項２記載のベクター 。
【請求項１１】ヒト以外の精子細胞に少なくとも一つのポリヌクレオチド分子を付着す るための、抗体リンカー。
【請求項１２】前記抗体リンカーがヒト以外の精子細胞の外表に結合する、請求項１１ 記載の抗体リンカー。
【請求項１３】前記抗体リンカーがヒト以外の精子細胞の外表に優先的に結合する、請 求項１１の抗体リンカー。
【請求項１４】ヒト以外の精子細胞と、前記ヒト以外の精子細胞に結合された少なくと も一つの抗体リンカーと、前記少なくとも一つの抗体リンカーを介してヒト以外の精子 細胞に連結した少なくとも一つのポリヌクレオチド分子とを有するベクターを、ヒト以 外の卵細胞と接触させることを含む、ヒト以外の卵細胞の受精方法。
【請求項１５】前記受精がインビトロまたはインビボで生じる、請求項１４記載の方法 。
【請求項１６】前記少なくとも一つのポリヌクレオチド分子が全体的または部分的に前 記ヒト以外の卵細胞のゲノム中に組み込まれている、請求項１４記載の方法。
【請求項１７】ヒト以外の精子細胞と、前記ヒト以外の精子細胞に結合された少なくと も一つの抗体リンカーと、前記少なくとも一つの抗体リンカーを介してヒト以外の精子 細胞に結合された少なくとも一つのポリヌクレオチド分子とを有するベクターにより、 ヒト以外の卵細胞を受精させることを含む、ヒト以外の動物を遺伝子的に修飾させる方 法。
【請求項１８】前記ヒト以外の動物が哺乳動物である、請求項１７記載の方法。
【請求項１９】前記ヒト以外の動物が鳥である、請求項１７記載の方法。
【請求項２０】前記ヒト以外の動物がブタである、請求項１７記載の方法。
【請求項２１】前記少なくとも一つのポリヌクレオチド分子が全体的または部分的に前 記ヒト以外の動物のゲノム中に組み込まれている、請求項１７記載の方法。
【請求項２２】前記受精がインビトロまたはインビボで生じる、請求項１７記載の方法 。
【請求項２３】前記少なくとも一つのポリヌクレオチド分子が、前記少なくとも一つの 抗体リンカーを介してヒト以外の精子細胞の外表にインビトロまたはインビボで結合す る、請求項１７記載の方法。
【請求項２４】前記少なくとも一つの抗体リンカーがヒト以外の精子細胞の外表に会合 している、請求項１７記載の方法。
【請求項２５】前記少なくとも一つのポリヌクレオチド分子がＤＮＡ分子である、請求 項１７記載の方法。
【請求項２６】前記ＤＮＡ分子が遺伝子産物をコードする、請求項２５記載の方法。
【請求項２７】前記遺伝子産物がＲＮＡ分子である、請求項２６記載の方法。
【請求項２８】遺伝子産物がタンパク質である、請求項２６記載の方法。
【請求項２９】前記少なくとも一つの抗体リンカーが、イオン性相互作用、共有結合相 互作用、ファンデルワールス相互作用、およびリガンド−レセプター相互作用からなる 群から選択された分子間相互作用を介して少なくとも一つのポリヌクレオチド分子と相 互作用する、請求項１７記載の方法。
【請求項３０】天然のヒト以外の動物よりもより早く成長するヒト以外の動物を創出す る方法であって、
少なくとも一つのポリヌクレオチド分子を、少なくとも一つの抗体リンカーを介してヒ ト以外の精子細胞にカプリングする段階を有し、前記少なくとも一つのポリヌクレオチ ド分子は成長ホルモンをコードするものであり、
前記少なくとも一つの抗体リンカーを介して前記少なくとも一つのポリヌクレオチド分 子とカプリングされたヒト以外の精子細胞と、ヒト以外の卵細胞との受精をインビトロ またはインビボで実施して胚を形成する段階を有し、
前記胚を発生させて動物とする段階を有する方法。
【請求項３１】ヒト以外の疾病または病原耐性の動物を創出する方法であって、
少なくとも一つのポリヌクレオチド分子を、少なくとも一つの抗体リンカーを介してヒ ト以外の精子細胞にカプリングする段階を有し、前記少なくとも一つのポリヌクレオチ ド分子は疾病または病原耐性を与える遺伝子産物をコードするものであり、
前記少なくとも一つの抗体リンカーを介して前記少なくとも一つのポリヌクレオチド分 子とカプリングされたヒト以外の精子細胞と、ヒト以外の卵細胞との受精をインビトロ またはインビボで実施して胚を形成する段階を有し、
前記胚を発生させて動物とする段階を有する方法。
【請求項３２】タンパク質を生産する方法であって、
少なくとも一つのポリヌクレオチド分子を、少なくとも一つの抗体リンカーを介してヒ ト以外の精子細胞にカプリングする段階を有し、前記少なくとも一つのポリヌクレオチ ド分子はヒト以外の動物のミルク中に特異的に生産されるタンパク質をコードするもの であり、
前記少なくとも一つの抗体リンカーを介して前記少なくとも一つのポリヌクレオチド分 子とカプリングされたヒト以外の精子細胞と、ヒト以外の卵細胞との受精をインビトロ またはインビボで実施して胚を形成する段階を有し、
前記胚を発生させて動物とする段階を有し、
成熟したヒト以外の動物によって生産されるミルクを採取する段階を有する方法。
【請求項３３】動物−ヒト異種移植の方法であって、
少なくとも一つのポリヌクレオチド分子を、少なくとも一つの抗体リンカーを介してヒ ト以外の精子細胞にカプリングする段階を有し、前記少なくとも一つのポリヌクレオチ ド分子は遺伝子産物をコードするものであり、
前記少なくとも一つの抗体リンカーを介して前記少なくとも一つのポリヌクレオチド分 子とカプリングされたヒト以外の精子細胞と、ヒト以外の卵細胞との受精をインビトロ またはインビボで実施して胚を形成する段階を有し、
前記胚を発生させて動物とする段階を有し、
ヒトへの移植のためにヒト以外の動物から器官を外科的に取り除く段階を有し、
前記少なくとも一つのポリヌクレオチド分子によりコードされる遺伝子産物が移植後の 人体中の耐性を与える、方法。